(57)【要約】【課題】スマホ（携帯情報端末）は縦に持って写真や動画を撮影すると巾が狭い画像となっていた、本発明はスマホのディスプレイ６を略９０°回転させた場合、画像処理エンジン上で直交する、縦撮り横画像２３の領域の受光画像を分割抜粋してディスプレイに表示しメモリーに記録する事で、「再生」すると携帯情報端末１を横にして撮影した画像と同じ構図の画像を得る。【解決手段】縦撮影している携帯情報端末１のディスプレイ６を略９０°回転させた場合直交する、縦撮り横画像２３の領域の受光画像をディスプレイに分割或は一部の領域に表示してメモリー２６に記録する。【選択図】図３
2020078039.tif 000002
【特許請求の範囲】
【請求項１】
縦撮影で携帯情報端末１のディスプレイ６を横に略９０°回転させると携帯情報端末１に直交するディスプレイ６の領域となる、イメージセンサーから入力した画像処理エンジン２５の受光画像から分割抜粋した縦撮り横画像２３の領域の受光画像を、撮影対象画像と認知し、認知した画像をディスプレイに表示する事を特徴とする、携帯情報端末１。
【請求項２】
前記撮影対象画像と認知した縦撮り横画像２３の領域の受光画像を横方向に複数に分割しディスプレイの上下に分割して表示する事を特徴とする請求項１に記載の携帯情報端末１。
【請求項３】
前記縦撮り横画像２３の領域の受光画像をディスプレイの横画像領域２１の一部の領域に表示する事を特徴とする請求項１〜２の何れか１項に記載の携帯情報端末１。
【請求項４】
前記撮影対象画像と認知した縦撮り横画像２３の領域の受光画像、或はディスプレイの領域外の画像を含む画像処理エンジンの受光画像を、メモリーに記録し、撮影時ディスプレイに撮影対象として表示されていなかった領域の画像を、ディスプレイをスクロールすると表示することを特徴とする請求項１〜３の何れか１項に記載の携帯情報端末１。
【請求項５】
前記撮影対象画像と認知した縦撮り横画像２３の領域の受光画像を横に複数に分割しディスプレイの上下に分割して表示する場合、上下の分割を表すコマラインを表示する事を特徴とする請求項１〜４の何れか１項に記載の携帯情報端末１。
【請求項６】
焦点距離を短くして画角を広げ、写る範囲を広くする広角レンズカメラでイメージセンサーへの受光範囲を広くし、前記撮影対象画像と認知した縦撮り横画像２３の領域の受光画像をディスプレイに表示とメモリーに記録する事を特徴とする、携帯情報端末１。
【請求項７】
「縦撮影」時、携帯情報端末１が左右どちらかに傾いた場合、前記画像処理エンジン２５の受光画像において、携帯情報端末１が傾いた方向に、倒れた角度、回転させた場合、前記縦撮り横画像２３となる領域の受光画像を撮影対象と認知しディスプレイに表示とメモリーに記録する事を特徴とする請求項１〜６の何れか１項に記載の携帯情報端末１。
【発明の詳細な説明】
【技術分野】
【０００１】
本発明は、カメラ機能やウェブサイトの閲覧や電子メールの送受信といったインターネット利用、スケジュール管理、パソコンで作成された各種書類ファイルの閲覧といった機能を備え、パソコンと類似の使い方が可能でＡｎｄｒｏｉｄを搭載したＳｍａｒｔｐｈｏｎｅやｉｏｓを搭載したｉｐｈｏｎｅ等の携帯情報端末のカメラ機能の撮影、表示と記録（書き込み）に関するものである。
【０００２】
本発明は、カメラ機能やウェブサイトの閲覧や電子メールの送受信といったインターネット利用、スケジュール管理、パソコンで作成された各種書類ファイルの閲覧といった機能を備え、パソコンと類似の使い方が可能でＡｎｄｒｏｉｄを搭載したスマートフォン（スマホ）（Ｓｍａｒｔｐｈｏｎｅ）やｉｏｓを搭載したアイフォーン（ｉｐｈｏｎｅ）等を「携帯情報端末」と文言の定義し以下“携帯情報端末”と表記する。
【背景技術】
【０００３】
従来、“携帯情報端末”の表示部であるディスプレイは長方体をしていて、カメラ５のレンズは手でつかんだ時に指などが被り難い短辺に近い部位に設けられているこの為、短辺を上下にして掌に乗せて長辺の裏表で握る、この為携帯情報端末を横に倒して撮影するには手首を大きく捻らなければならないので難しい、この為風景などをゆっくりと撮影する場合は携帯情報端末の長辺の両側を指で摘みもう一方の手で支えることで横長の画像を安定して撮影できるが、高くかかげる人ごみの中、或は緊急の場合しっかりと支えて撮影するには携帯情報端末を縦に握ってして撮影する方が安定し画像を見やすいが撮影範囲は縦長の被写体のみの撮影となり、縦にして撮影した場合被写体は縦長で横が狭い携帯情報端末の横巾のみの画像となり、横への広がりがない為どのような場面にあっての被写体なのかが判り難くかった。
【先行技術文献】
【特許文献】
【０００４】
【特許文献１】特開２０１８−１１６６６８
【発明の概要】
【発明が解決しようとする課題】
【０００５】
従来、携帯情報端末の持ち方の関係で携帯情報端末を横にしての撮影は、緊急時や高くかかげて撮る、人ごみの中での撮影は難しいので撮影は携帯情報端末を縦に持って撮影する事が主だった、縦にして撮影した場合、被写体は縦長で横が狭い、携帯情報端末の横巾のみの画像となり、横への広がりがない為どのような場面にあっての被写体なのかが判り難くかった。例えば携帯情報端末で、ヘリコプターで吊り上げられている人物を撮影した画像がＴＶのニュースで放映されていたが、なぜヘリコプターで吊り上げられているのか理解できなかった、別画面で津波から逃れて電柱の上に避難して孤立している人を救助していた事が分かった、もしこの画像に横の画像が有れば濁流の中の電柱から救助している事が直感的にわかったはずである。
【０００６】
従来は携帯情報端末を縦にして撮影した場合、携帯情報端末のディスプレイに表示されていないディスプレイの横外の画像は撮影できず縦にかまえてディスプレイに表示されている縦長の画像、縦撮り縦画像２２（図４）のみしか記録されなかったので再生画像は図５となっていた。
【０００７】
本発明は、携帯情報端末を縦にして撮影をした場合も、携帯情報端末を横にして撮影した場合
と同じ領域の横に長い画像（図１０）を撮る為に、縦にしたディスプレイの左右の外にあって写っていない被写体をもイメージセンサーに受光し、ディスプレイに表示しメモリーに記録し、携帯情報端末を横にしてメモリーに記録されている動画、或は写真を「再生」すると携帯情報端末１を横にして撮影した場合と同じ領域のイメージセンサー７ｂ領域の画像の縦撮り横画像２３の画像領域（図３）をディスプレイに表示しメモリーに記録し再生画像として縦撮り横画像２３の領域の画像である図１０を得ることである、又
【０００８】
頭の上にかかげて「縦撮影」しメモリー２６に記録した場合、携帯情報端末１が横に傾いて撮影されていた場合、「再生」するとディスプレイ６にはディスプレイ６の長辺３には平行でない傾いた画像が再生されていた、本発明は携帯情報端末１が横に傾いて撮影されたいた場合、設定されている傾き許容角度以内であれば、傾き角度を補正した縦撮り横画像２３の領域の画像をメモリー２６に記録し表示する事が課題である
【課題を解決するための手段】
【０００９】
＜文言の定義＞  
〇以下、メモリーに記録されている動画を見る、或は写真を見る事を「再生」と定義し以下表記する。
〇  携帯情報端末１のカメラがある短辺４方が上（天）になる縦にして持って撮影した場合を「縦撮影」と定義し以下「縦撮影」と表記する。
〇  携帯情報端末１を横にして持って撮影した場合を「横撮影」と定義し以下「横撮影」と表記する
〇  撮影した長方形の画像が天地方向に長い画像を縦画像と定義し以下「縦画像と表記する」
〇  撮影した長方形の画像が水平方向に長い画像を横画像と定義し以下「横画像と表記する」
〇  イメージセンサーの電気信号に変換された画像のデータと画像処理エンジンに入力された画像のデータを受光画像と定義し以下「受光画像」と表記する。
〇  「縦撮影」している携帯情報端末１のディスプレイ６を仮に略９０°回転させた場合の仮想のディスプレイ６の領域となるイメージセンサーから入力した、画像処理エンジンの受光画像の携帯情報端末１に直交したディスプレイの領域の受光画像を、縦撮影した横画像である縦撮り横画像２３と定義し以下、縦撮り横画像２３と表記する。
〇「縦撮影」している携帯情報端末１のディスプレイ６を仮に略９０°回転させた場合の仮想のディスプレイ６の領域となるイメージセンサーから入力した、画像処理エンジンの受光画像の携帯情報端末１に直交した縦撮り横画像２３の領域の受光画像を撮影対象と認知し、認知した画像を分割抜粋し横に分割しディスプレイに上下に分割して表示する機能を、「分割表示撮影」モードと定義し以下「分割表示撮影」モードと表記する。
〇「縦撮影」している携帯情報端末１のディスプレイ６を仮に略９０°回転させた場合の仮想のディスプレイ６の領域となるイメージセンサーから入力した、画像処理エンジンの受光画像の携帯情報端末１に直交した縦撮り横画像２３の領域の受光画像を撮影対象と認知し、認知した画像を分割抜粋し、ディスプレイの予め設定された一部の領域に撮影対象画像として表示する機能を「無分割表示撮影」モードと定義し以下「無分割表示撮影」モードと表記する。
〇「ここで使用するイメージセンサーとは、図面においてイメージであって携帯情報端末１とサイズ的に比例していず、図面はイメージ的に拡大したものである」
【００１０】
以下、本発明の携帯情報端末１を使用する場合、使用者、或は製造者はまず「分割表示撮影」モードを起動するかどうかの判断をし、その設定をする、次に「無分割表示撮影」モードを起動するかどうかの判断をし、その設定をする、次にメモリー２６に記録する範囲をイメージセンサー７ｂの縦撮り横画像２３の領域の画像のみか或はイメージセンサー７ｂの全域の受光画像を記録するのかを選択する、通常は「無分割表示撮影」とイメージセンサー７ｂの縦撮り横画像２３の領域の画像のみを記録するに設定しておいて、例えばスカイツリー等を近くで撮影する様な場合には縦撮り縦画像２２の領域の画像を記録する、を選択する、或は「分割表示撮影」モードを一次解除する。
【００１１】
従来、図２の撮影対象の被写体を「横撮影」した場合のイメージセンサー７ａと入力画像のイメージ図が図６でありその横画像が横撮り横画像２４であり、「縦撮影」した場合は図５の画像が撮影されていた、本発明は携帯情報端末１で「縦撮影」した場合も携帯情報端末１を「横撮影」した場合と同じく横に広い画像(図１０）を撮影するモードを選択可能な携帯情報端末１とするために、
【００１２】
＜請求項１の発明は＞
従来のイメージセンサー７ａは長方形であった為、受光領域の横巾は縦巾に比べて短かった、本発明では、イメージセンサーの受光領域の横巾を縦巾と略同等にする為にイメージセンサーの縦と横の巾を略同等の1対1の四角形のイメージセンサー７ｂとし、イメージセンサー７ｂから入力した電気信号を画像処理エンジン２５は画像ファイルとしてコンピュータ処理し「縦撮影」している携帯情報端末１のディスプレイ６を略９０°回転させた場合横にしたディスプレイ６の領域になる、画像処理エンジン２５の受光画像の携帯情報端末１に直交した縦撮影した横画像である、縦撮り横画像２３の領域の受光画像を分割抜粋した撮影対象画像としてディスプレイ６に表示しメモリー２６に記録する画像だと携帯情報端末１が、認知する事とディスプレイに表示とメモリー２６に記録することを特徴とする
【００１３】
或は、イメージセンサー７ｂから入力した画像処理エンジン２５の縦撮り縦画像２２の領域の画像をディスプレイ６に表示しシャッターを切る事で縦撮り縦画像２２をメモリー２６に記録することを特徴とする、或は
【００１４】
「縦撮影」している携帯情報端末１のディスプレイ６を仮に略９０°回転させた場合の仮想のディスプレイ６の領域となるイメージセンサーから入力した、画像処理エンジンの受光画像から携帯情報端末１に直交した縦撮影した横画像である、縦撮り横画像２３の領域の受光画像を分割抜粋する「分割表示撮影」モードを使用する場合は、イメージセンサー７ｂから入力した画像処理エンジン２５の受光画像から分割抜粋した縦撮り横画像２３の領域の受光画像を撮影対象と認知し、認知した画像を横に分割してディスプレイ６に上下に表示し縦撮り横画像２３の領域の画像をメモリー２６に記録することを特徴とする或は
【００１５】
＜請求項３の発明は＞
「縦撮影」している携帯情報端末１のディスプレイ６を仮に略９０°回転させた場合の仮想のディスプレイ６の領域となるイメージセンサーから入力した、画像処理エンジンの受光画像の携帯情報端末１に直交した縦撮影した横画像である、縦撮り横画像２３の領域の受光画像を分割抜粋する「無分割表示撮影」モードを使用する場合は、イメージセンサー７ｂから入力した画像処理エンジン２５の受光画像から分割抜粋した縦撮り横画像２３の領域の受光画像を撮影対象と認知し、認知した画像を横に分割せずに、ディスプレイ６の予め設定された一部の領域に撮影対象画像として表示しメモリー２６に記録することを特徴とする或は、
【００１６】
焦点距離を短くして画角を広げる広角レンズカメラで従来の長方形のイメージセンサー７ａ
から入力した電気信号を画像ファイルとしてコンピュータ処理で「縦撮影」している携帯情報端末１のディスプレイ６を略９０°回転させた場合、直交する画像処理エンジン２５の受光画像から分割抜粋した縦撮り横画像２３の領域の受光画像をディスプレイ６に表示する画像の情報として認知し、「分割表示撮影」モード或は、「無分割表示撮影」モードでディスプレイ６に表示しメモリー２６に記録することを特徴とする（図１２参照）
この場合は縦取り横撮影用のためのカメラを装備する。
【００１７】
＜請求項７の発明は＞
携帯情報端末１を縦にして撮影し、携帯情報端末１が左右のどちらかに倒れ傾いた場合ディスプレイ６に表示される画像はディスプレイ６に平行ではないので、イメージセンサー７ａ或はイメージセンサー７ｂからの受光画像を平行にする為イメージセンサー７ａ或はイメージセンサー７ｂから入力した画像処理エンジン２５の画像ファイルの左右上下の中心を中心点として携帯情報端末１が倒れ傾いた方向と同じ方向、同じ角度で回転させた場合の領域の縦撮り横画像２３の領域の画像を撮影対象と認知し、認知した画像を分割抜粋し、シャッターを切った時点でメモリー２６に記録することを特徴とする、
【００１８】
あるいは画像処理エンジン２５の画像ファイルの左右上下の中心を中心点として携帯情報端末１が倒れ傾いた方向と同じ方向、同じ角度で回転させた場合縦撮り横画像２３となる領域の受光画像を撮影対象と認知し分割抜粋しディスプレイ６に表示しシャッターを切ったら縦撮り横画像２３の領域の画像をメモリー２６に記録することを特徴とする、
【００１９】
＜請求項４の発明は＞
イメージセンサーからの受光画像のメモリー２６への記録範囲は、イメージセンサーからの入力した画像処理エンジン２５の受光画像全て或は、受光画像の中から分割抜粋した、縦撮り横画像２３（図３）、或は縦撮り縦画像２２（図１。図３）、横撮り横画像２４（図６）の領域の何れかを記録することを特徴とする、
【００２０】
＜請求項５の発明は＞
「分割表示撮影」モードを使用し、縦撮り横画像２３の領域の画像を横に分割抜粋してディスプレイ６に上下に表示する場合、上表示部１０３と中央表示部１０４の間と中央表示部１０４と下表示部１０５の間に上下を区別するコマライン２を表示することを特徴とする。
【発明の効果】
【００２１】
従来は、図２の被写体を、携帯情報端末１で「縦撮影」した場合、図５の様に横巾が狭い画像でしかなかったので横の情報が不足していた、写真や動画を撮る場合の撮影するフレームに必要な情報は縦方向である上下には少なく、圧倒的に横方向にあるが、風景、人物などを落ち着いて短時間撮る場合は携帯情報端末１を横にかまえて撮影することが容易であるが、携帯情報端末１の長辺３の側面の縁を指先で挟んで横に持って、事件事故などの緊急時、或は携帯情報端末１を高く掲げて撮影するコンサートなどの人がたくさん集合している場合の撮影は難しい為、無意識の内に縦に構えて撮ってしまっていたこの為横が狭く縦長い、横の情報が少ない画像となっていたが、
【００２２】
「分割表示撮影」モードでイメージセンサー７ａ或はイメージセンサー７ａ或はイメージセンサー７ｂの受光画像の中の内、縦撮り横画像２３の領域の受光画像を横に、複数に分割してディスプレイ６に上下に分割して表示（図８）すると（中央表示部１０４に中央画像１００）を表示、或は（上表示部１０３に中央画像１００）をディスプレイ６に表示（図７）し、図３の縦撮り横画像２３の領域の受光画像をメモリー２６に記録するので「再生」すると図１０の通り横に広い画像が撮影できる、或は
【００２３】
「無分割表示撮影」モードで図３のイメージセンサー７ｂの縦撮り横画像２３の領域の受光画像を撮影対象画像としてディスプレイ６の予め設定された一部の領域に表示する（図９参照）事で「縦撮影」であっても「横撮影」と同じ横長の撮影前の画像である縦撮り横画像２３の領域の受光画像を確認してシャッターを切る事で縦撮り横画像２３の領域の受光画像をメモリー２６に記録する、或はイメージセンサー７ｂの全ての画像をメモリー２６に記録する、これにより
【００２４】
従来の場合は、「縦撮影」した画像を、携帯情報端末１を横にして「再生」すると縦撮り縦画像２２の領域の縦長の受光画像をディスプレイ６の横巾に合わせて縮小して表示していたが、本発明の場合は、携帯情報端末１で「縦撮影」した場合も、「横撮影」したのと同じ、縦撮り横画像２３の画像が縮小する事無く再生表示（図１０）され、携帯情報端末１を縦に持ってする「縦撮影」であっても携帯情報端末１を横にして撮影したのと同じ横長の情報が多い図１０の画像が撮れる様になった、
【００２５】
又、イメージセンサー７ｂの全受光画像をメモリーに記録していた場合、携帯情報端末１を縦にして「再生」した場合は画像を横にスクロールさせてディスプレイ６の左右の領域以外の画像、図４の外領域左１０、外領域右１１を表示して見ることが出来る、又は携帯情報端末１を横にして撮影した画像を「再生」の場合、画像を上下にスクロールさせてディスプレイ６の領域以外の画像、図４の外領域上８、外領域下９を表示して見ることが出来た、
【００２６】
頭上にかかげて「縦撮影」する場合等、携帯情報端末１が横に倒れ傾きがあった場合ディスプレイ６の領域内には傾いた画像を表示し傾いた画像がメモリー２６に記録されていたが、本発明では「分割表示撮影」モード或は「無分割表示撮影」モードで撮影され傾き補正機能を作動させていた場合、許容範囲として設定されている傾き角度以内であれば、イメージセンサー７ａ或はイメージセンサー７ｂから入力した受光画像を画像処理エンジン２５において携帯情報端末１が横に倒れた方向、倒れた角度と略同等回転させて倒れ角度を補正しディスプレイ６の長辺３に対し平行な縦撮り横画像２３の領域の画像をメモリー２６に記録できた。
【００２７】
これによりどのような場面にあっての被写体なのかが判り、人ごみの中、或は被災、事故など緊急時でも情報量の多い横長の写真、或は動画を、携帯情報端末１を手のひらに置き親指で押さえて安定した形で体の前、或は頭上に掲げてでも撮れるようになった、これにより多くの撮影者が報道カメラマンとなり情報量の多い横に長い画像を発信できる。
【図面の簡単な説明】
【００２８】
【図１】携帯情報端末１とイメージセンサー７ａの領域を拡大したイメージの図。
【図２】撮影対象の被写体の図である。
【図３】被写体とイメージセンサー７ｂと携帯情報端末１をイメージ的に重ねた図。
【図４】被写体とイメージセンサー７ｂと携帯情報端末１をイメージ的に重ねた図。
【図５】従来の携帯情報端末で「縦撮影」した画像を「表示或は再生」した図。
【図６】被写体とイメージセンサー７ａとディスプレイ６をイメージ的に重ねた図。
【図７】縦撮り横画像２３の受光画像を上下に分割表示した図。
【図８】縦撮り横画像２３の受光画像を上下に分割表示した図。
【図９】縦撮り横画像２３の受光画像を縦にしたディスプレイ６の一部の領域に表示した図。
【図１０】縦撮り横画像２３の受光画像を横にしたディスプレイ６に表示した図。
【図１１】縦撮影時右に傾いた携帯情報端末１のイメージセンサー７ｂ、（画像処理エンジン２５）の受光画像とディスププレイの図。
【図１２】傾いたイメージセンサー７ｂの縦撮り横画像２３の受光画像を鉛直に補正した図。
【図１３】携帯情報端末１のカメラの構成を示す部分図。
【発明を実施するための形態】
【００２９】
従来、携帯情報端末１を縦にして「縦撮影」した場合、図１の従来の長方形のイメージセンサー７ａから画像処理エンジン２５に入力した縦撮り縦画像２２の領域の画像、がディスプレイ６に表示され記録されたが、本発明は携帯情報端末１を縦にして「縦撮影」をしても、横にして「横撮影」した場合と同じ、図３のイメージセンサー７ｂと画像処理エンジン２５の受光画像の内の縦撮り横画像２３の領域の画像を撮影する為に、
【００３０】
図１、図６を元に説明すると、従来のイメージセンサー７ａは縦受光域Ｈ×横受光域Ｗ０の縦と横の比率が最も見易い黄金比と呼ばれている４対３、である１／２．５型（５．７mm×４．３mm・）或は１／２．３型（６．２ｍｍ×４．７ｍｍ）等の長方形のものが多く使用されており、カメラの構成を、図１３を元に説明するとレンズ２５から入った光はイメージセンサー７ｂで電気信号に変換され画像処理エンジンに入力し画像として処理されディスプレイ６で表示される、シャッターを切るとメモリー（記録メディア、ＳＤカード等の記録メディア）に記録される
【００３１】
本発明はイメージセンサーの縦と横の比率を１対１としたイメージセンサー７ｂから入力した電気信号を画像処理エンジン２５は画像ファイルとしてコンピュータ処理し「縦撮影」している携帯情報端末１のディスプレイ６を略９０°回転させた場合直交する領域の、縦撮影した横画像である縦撮り横画像２３の領域の受光画像を携帯情報端末１のコンピュータは撮影対象画像として認知し、認知した領域を分割抜粋しディスプレイ６に表示し、「縦撮影」時の携帯情報端末１が横へ倒れ傾いた場合は受光画像の傾きを補正してシャッターを切る事でメモリー２６に記録する、或は長方形であるイメージセンサー７ａにおいて広角レンズを使用し写る範囲を拡大し「縦撮影」している携帯情報端末１のディスプレイ６を略９０°回転させた場合直交する領域の、縦撮影した横画像である縦撮り横画像２３の領域の受光画像を分割抜粋しディスプレイ６に表示し、「縦撮影」時の携帯情報端末１が横へ倒れ傾いた場合は傾きを補正してシャッターを切る事でメモリー２６に記録する、
【実施例】
【００３２】
＜実施例１・請求項１＞
図３を元に説明すると、本発明は、イメージセンサー７ｂの縦受光域Ｈの長さを、ディスプレイ６の長辺３と同等或は同等以上の長さとし、縦受光域Ｈと横受光域Ｗを１対１の比率の略同等とし縦受光域Ｈ×横受光域Ｗの領域の画像を受光できる面積の四角形、或は多角形、又は円形の形体の、イメージセンサー７ｂから入力した電気信号を画像処理エンジン２５は画像ファイルとしてコンピュータ処理し、縦にして「縦撮影」している携帯情報端末１のディスプレイ６を仮に略９０°回転させた場合の仮想のディスプレイ６の領域となるイメージセンサー７ｂから入力した、画像処理エンジン２５の受光画像の携帯情報端末１に直交した縦撮影した横画像である、縦撮り横画像２３の領域の受光画像をコンピュータは撮影対象画像と認知し認知した領域を分割して抜粋し、撮影対象画像としてディスプレイ６に表示とメモリー２６に記録する
【００３３】
＜実施例２・請求項２＞
図４を元に説明すると、携帯情報端末１を縦にして「分割表示撮影」モードを、使用して撮影する場合、画像処理エンジン２５の受光画像の携帯情報端末１に直交した縦撮影した横画像である、縦撮り横画像２３の領域の受光画像をコンピュータは撮影対象画像と認知し認知した領域を分割して抜粋した、縦撮り横画像２３の領域の受光画像を横に複数に分割して、ディスプレイ６に上下に分割して表示（図７・図８）し、シャッターを切る事で縦撮り横画像２３の領域の画像を撮影対象画像として認知しメモリー２６に記録する、或はイメージセンサー７ｂの全ての領域の画像をメモリー２６に記録する、
【００３４】
分割を詳細に説明すると分割の手段は図５の分割する画像の左画像１０１、中央画像１００、右画像１０２、の画像の高さは縦画像領域２０と同等としディスプレイ６の上表示部１０３に中央画像１００を中央表示部１０４に左画像１０１を、下表示部１０５に、右画像１０２を表示(図7)する或は、上表示部１０３に左画像１０１を中央表示部１０４に中央画像１００を、下表示部１０５に、右画像１０２を表示（図８）するとなる、或は
【００３５】
＜実施例３・請求項３＞
図３を元に説明すると、携帯情報端末１を縦にして「無分割表示撮影」モードを、使用する場合撮影対象として認知した画像処理エンジン２５の受光画像から分割抜粋した、縦撮り横画像２３の領域の画像をディスプレイ６の縦画像領域２１の領域の、予め設定された一部の領域に撮影対象画像として表示（図９）しシャッターを切る事で画像処理エンジン２５の縦撮り横画像２３の領域の画像をメモリー２６に記録する、或はイメージセンサー７ｂの全ての領域の画像をメモリー２６に記録する、この記録した画像を、携帯情報端末１を横にして「再生」すると（図１０）となる、
【００３６】
＜実施例４・請求項４＞
図３を元に説明すると、シャッターを切るとイメージセンサー７ｂから入力した画像処理エンジン２５の受光画像から分割抜粋した縦撮り横画像２３の領域の受光画像を撮影対象画像として認知しメモリー２６に記録する、或は画像処理エンジン２５のディスプレイ６に表示されない画像を含んだ画像処理エンジン２５の受光画像全てをメモリー２６に記録する、
【００３７】
図４を元に説明すると、イメージセンサー７ｂの領域の受光画像全てをメモリー２６に記録していた場合、携帯情報端末１を縦にして撮影し縦にして「再生」した場合ディスプレイ６の画像を左右にスクロールしてディスプレイ６の横画像領域２１の外の画像である外領域左１０或は外領域右１１までを表示する、携帯情報端末１を横にして撮影し横にして「再生」した場合ディスプレイ６の画像を上下にスクロールしてディスプレイ６の横画像領域２１の外の画像である外領域上８或は外領域下９までのディスプレイ６の領域外の画像を表示する。
【００３８】
＜実施例５・請求項５＞
図３を元に説明すると、イメージセンサー７ｂから入力した画像処理エンジン２５の受光画像から分割抜粋した縦撮り横画像２３の領域の受光画像を撮影対象画像として認知し横に複数に分割しディスプレイ６の上下に分割して表示する場合、見やすくする為に上下の分割を表すコマライン２を短辺４に平行に表示する。
【００３９】
＜実施例６・請求項６＞
図１を元に説明すると、「分割表示撮影」モード、「無分割表示撮影」モード撮影の場合従来の長方形のイメージセンサー７ａに焦点距離を短くする広角レンズで縦受光域Ｈの巾の画像が横受光域Ｗ０に収まる様に焦点距離を設定し写る範囲を広くし「縦撮影」している携帯情報端末１のディスプレイ６を略９０°回転させた場合直交する領域の、イメージセンサー７ａから入力した画像処理エンジン２５の受光画像から分割抜粋した縦撮り横画像２３の領域の、受光画像を撮影対象画像として認知し分割しディスプレイ６に表示し、メモリー２６に記録する対象画像と携帯情報端末１は知覚した上で認知し、表示しメモリー２６に記録する、
【００４０】
＜実施例７・請求項７＞
図１１を元に説明すると、携帯情報端末１を縦にして撮影し、例えば携帯情報端末１が右にα°傾いた場合、ディスプレイ６に表示する縦撮り横画像２３の領域内の画像はディスプレイ６の長辺３に対し左の距離Ｋと、右の距離Ｋ‘は同じではなく傾いて表示されメモリー２６に記録されるが、
【００４１】
本発明では、図１２を元に説明すると、縦撮り横画像２３の画像をディスプレイ６の長辺３に対し平行にする為にイメージセンサー７ｂから入力した画像処理エンジン２５の受光画像である縦撮り横画像２３を左右上下の中心を中心点として携帯情報端末１が傾いた方向と同じ方向、同じ角度回転させた場合、縦撮り横画像２３となる領域の受光画像を撮影対象と認知し分割抜粋しシャッターを切ると角度を補正した対象画像である縦撮り横画像２３の画像の領域をメモリー２６に記録する、
【００４２】
或は、角度を補正した縦撮り横画像２３の領域の受光画像を分割抜粋しディスプレイ６に表示した後シャッターを切るとメモリー２６に記録する、
【符号の説明】
【００４３】
１  携帯情報端末
２  コマライン
３  長辺
４  短辺
５  カメラ
６  ディスプレイ
７  イメージセンサー領域
７ａ  イメージセンサー（長方形）
７ｂ  イメージセンサー（四角形等）
８    外領域上
９    外領域下  
１０  外領域左    
１１  外領域右  
１２  鉛直線
１３  水平線
２０  縦画像領域
２１  横画像領域
２２  縦撮り縦画像
２３  縦撮り横画像
２４  横取り横画像
２５  画像処理エンジン
２６  メモリー
２７  レンズ
２８  入射光
１００  中央画像
１０１  左画像
１０２  右画像
１０３  上表示部
１０４  中央表示部
１０５  下表示部
Ｗ０    横受光域（長方形の）
Ｗ      横受光域（四角形の）
Ｈ      縦受光域
Ｋ  距離
Ｋ‘  距離
【図１】
2020078039.tif 000003
【図２】
2020078039.tif 000004
【図３】
2020078039.tif 000005
【図４】
2020078039.tif 000006
【図５】
2020078039.tif 000007
【図６】
2020078039.tif 000008
【図７】
2020078039.tif 000009
【図８】
2020078039.tif 000010
【図９】
2020078039.tif 000011
【図１０】
2020078039.tif 000012
【図１１】
2020078039.tif 000013
【図１２】
2020078039.tif 000014
【図１３】
2020078039.tif 000015
【手続補正書】
【提出日】令和1年8月7日(2019.8.7)
【手続補正１】
【補正対象書類名】明細書
【補正対象項目名】０００８
【補正方法】変更
【補正の内容】
【０００８】
頭の上にかかげて「縦撮影」しメモリー２６に記録した場合、携帯情報端末１が横に傾いて撮影されていた場合、「再生」するとディスプレイ６にはディスプレイ６の長辺３には平行でない傾いた画像が再生されていた、本発明は携帯情報端末１が横に傾いて撮影されていた場合、設定されている傾き許容角度以内であれば、傾き角度を補正した縦撮り横画像２３の領域の画像をメモリー２６に記録し表示する事が課題である
【手続補正２】
【補正対象書類名】明細書
【補正対象項目名】０００９
【補正方法】変更
【補正の内容】
【０００９】
＜文言の定義＞  
〇以下、写真、或は動画を撮影する事を「撮影」と定義し以下表記する。
〇以下、メモリーに記録されている動画を見る、或は写真を見る事を「再生」と定義し以下表記する。
〇  携帯情報端末１の短辺４が上下（天地）になる縦にして持って「撮影」した場合を「縦撮影」と定義し以下「縦撮影」と表記する。
〇  携帯情報端末１が横になる長辺３が上下（天地）にして持って「撮影」した場合を「横撮影」と定義し以下「横撮影」と表記する
〇  撮影した長方形の画像が天地方向に長い画像を縦画像と定義し以下「縦画像と表記する」
〇  撮影した長方形の画像が水平方向に長い画像を横画像と定義し以下「横画像と表記する」
〇  イメージセンサーの電気信号に変換された画像のデータと画像処理エンジンに入力された画像のデータを受光画像と定義し以下「受光画像」と表記する。
〇「縦撮影」している携帯情報端末１のディスプレイ６を仮に略９０°回転させた場合の画像処理エンジンの受光画像の縦画像領域２１に略直交した横画像である縦撮り横画像２３を縦撮り横画像２３と定義し以下、表記する。
〇「縦撮影」している携帯情報端末１のディスプレイ６を仮に略９０°回転させた場合の画像処理エンジンの受光画像の縦画像領域２１に略直交した横画像である縦撮り横画像２３を撮影対象と認知し、認知した画像を分割抜粋し横に複数に分割しディスプレイに上下に分割して表示する機能を、「分割表示撮影」モードと定義し以下「分割表示撮影」モードと表記する。
〇縦撮り横画像２３の領域の受光画像を撮影対象と認知し、認知した画像を分割抜粋し、ディスプレイの予め設定された一部の領域に撮影対象画像として表示する機能を「無分割表示撮影」モードと定義し以下「無分割表示撮影」モードと表記する。
〇ここで使用するイメージセンサーとは、図面においてイメージであって携帯情報端末１とサイズ的に比例していず、図面はイメージ的に拡大したものである。
【手続補正３】
【補正対象書類名】明細書
【補正対象項目名】００１０
【補正方法】変更
【補正の内容】
【００１０】
以下、本発明の携帯情報端末１を使用する場合、「分割表示撮影」モード或は「無分割表示撮影」モードを起動し、メモリー２６に記録する範囲をイメージセンサー７ｂ、或はイメージセンサー７ａから入力した画像エンジン２５の縦撮り横画像２３の領域の画像、或は全域の受光画像、或は縦画像領域２０×縦画像領域２０の領域の画像を記録、を選択する、通常は「無分割表示撮影」とイメージセンサー７ｂ、或はイメージセンサー７ａの縦撮り横画像２３の領域の画像のみを記録するに設定しておいて、例えばスカイツリー等を近くで撮影する様な場合には縦撮り縦画像２２画像、撮影モードを選択する、或は「分割表示撮影」モードもしくは「無分割表示撮影」モードを一次解除する。
【手続補正４】
【補正対象書類名】明細書
【補正対象項目名】００１２
【補正方法】変更
【補正の内容】
【００１２】
＜請求項１の発明は＞
従来のイメージセンサー７ａ（図１）は長方形であった為、受光領域の横巾は縦巾に比べて短かった、本発明では、イメージセンサーの受光領域の横巾を縦巾と略同等にする為にイメージセンサーの縦と横の巾を略同等の1対1の四角形のイメージセンサー７ｂ（図４）とし、「分割表示撮影」モード或は「無分割表示撮影」モードにセットされて携帯情報端末１が「縦撮影」されている場合、イメージセンサー７ｂから入力した電気信号を画像処理エンジン２５は画像
としてコンピュータ処理し「縦撮影」している携帯情報端末１のディスプレイ６を略９０°回転させた場合横にしたディスプレイ６の領域になる、画像処理エンジン２５の受光画像の縦画像領域２１に略直交した縦撮り横画像領域２３ｂの、縦撮影した横画像である縦撮り横画像２３の領域の受光画像を携帯情報端末１は画像処理エンジン２５から分割抜粋し撮影対象画像としてディスプレイ６に表示しメモリー２６に記録する画像だと携帯情報端末１は認知し、  ディスプレイに表示しメモリー２６に記録することを特徴とする
【手続補正５】
【補正対象書類名】明細書
【補正対象項目名】００１４
【補正方法】変更
【補正の内容】
【００１４】
＜請求項２の発明は＞
「縦撮影」している携帯情報端末１のディスプレイ６を仮に略９０°回転させた場合の仮想のディスプレイ６の領域となるイメージセンサーから入力した、画像処理エンジンの受光画像から縦画像領域２１に略直交した縦撮影した横画像である、縦撮り横画像２３の領域の受光画像を分割抜粋する「分割表示撮影」モードを使用する場合は、イメージセンサー７ｂ、或はイメージセンサー７ａから入力した画像処理エンジン２５の受光画像から分割抜粋した縦撮り横画像２３の領域の受光画像を撮影対象と認知し、認知した画像を横方向に複数に分割してディスプレイ６に上下に表示し縦撮り横画像２３の領域の画像をメモリー２６に記録することを特徴とする或は
【手続補正６】
【補正対象書類名】明細書
【補正対象項目名】００１５
【補正方法】変更
【補正の内容】
【００１５】
＜請求項３の発明は＞
「縦撮影」している携帯情報端末１のディスプレイ６を仮に略９０°回転させた場合の仮想のディスプレイ６の領域となるイメージセンサーから入力した、画像処理エンジン２５の受光画像の縦画像領域２１に略直交した縦撮影した横画像である、縦撮り横画像２３の領域の受光画像を分割抜粋する「無分割表示撮影」モードを使用する場合は、イメージセンサー７ｂから入力した画像処理エンジン２５の受光画像から分割抜粋した縦撮り横画像２３の領域の受光画像を撮影対象と認知し、認知した画像を横に分割せずに、ディスプレイ６の予め設定された縦画像領域２１の一部の領域に撮影対象画像として表示しメモリー２６に記録することを特徴とする或は、
【手続補正７】
【補正対象書類名】明細書
【補正対象項目名】００１６
【補正方法】変更
【補正の内容】
【００１６】
＜請求項６の発明は＞
縦撮影の場合で、横幅が縦幅より狭い、イメージセンサー７ａ（図１）の場合、縦受光域Ｈの長さと略同等の横受光域Ｗの画像域を横受光域ＷＯ内に収める為に焦点距離を短くして画角を広げる広角レンズカメラを使用して写る範囲を広げ従来の長方形のイメージセンサー７ａから入力した広角画像の画像処理エンジン２５の受光画像の電気信号を画像ファイルとしてコンピュータ処理で「縦撮影」している携帯情報端末１のディスプレイ６を略９０°回転させた場合、略直交するディスプレイ６領域の画像処理エンジン２５の受光画像から分割抜粋した、縦撮り横画像２３の領域の受光画像をディスプレイ６に表示する画像の情報として認知し「分割表示撮影」モード或は、「無分割表示撮影」モードでディスプレイ６に表示しメモリー２６に記録することを特徴とする、この為縦取り横撮影用のための広角レンズカメラを装備しこれを使用して撮影する、ことを特徴とする。
【手続補正８】
【補正対象書類名】明細書
【補正対象項目名】００１７
【補正方法】変更
【補正の内容】
【００１７】
＜請求項７の発明は＞
図１１と図１２に基づいて説明すると
携帯情報端末１で撮影中、携帯情報端末１が左右のどちらかにα°倒れ傾いた場合ディスプレイ６に表示される画像は水平ではなく傾斜線１２ｂ方向に傾くので、イメージセンサー７ａ或はイメージセンサー７ｂから入力した画像処理エンジン２５の画像ファイルの略中央を中心点として  傾斜線１２ｂと逆方向にα°、回転させて縦撮り横画像領域２３ｂの、長辺３或は短辺４に平行に補正した縦撮り横画像２３或は縦撮り縦画像２２の領域の画像をディスプレイ６に表示しシャッターを切ったら縦撮り横画像２３或は縦撮り縦画像２２の領域の画像をメモリー２６に記録する、ことを特徴とする。
【手続補正９】
【補正対象書類名】明細書
【補正対象項目名】００１８
【補正方法】変更
【補正の内容】
【００１８】
補正撮影中さらに角度の変化があった場合、補正は一定時間内に一定の角度以上変化したら角度の補正をおこなう、或は一定のコマ数毎に角度の補正をおこなう、ことを特徴とする。
【手続補正１０】
【補正対象書類名】明細書
【補正対象項目名】００１９
【補正方法】変更
【補正の内容】
【００１９】
＜請求項４の発明は＞
図３、図４に基づいて説明すると
イメージセンサー７ｂ、或はイメージセンサー７ａからの受光画像のメモリー２６への記録範囲は、イメージセンサー７ｂ、或はイメージセンサー７ａから入力した画像処理エンジン２５の受光画像の全て或は、ディスプレイ６をスクロールした場合、表示に必要になる縦画像領域２０×縦画像領域２０の領域の、画像処理エンジン２５の画像領域をメモリーに記録し、携帯情報端末１を横にした再生時には図４の縦撮り横画像２３の領域、或は図６の横撮り横画像２４の領域、が表示され、携帯情報端末１を縦にして再生時には、図４の縦撮り縦画像２２の領域、がディスプレイ６に表示されるがディスプレイをスクロールすると撮影時にはディスプレイの領域外の画像であつた外領域上８、外領域下９、外領域左１０、外領域右１１、を、表示することを特徴とする。
【手続補正１１】
【補正対象書類名】明細書
【補正対象項目名】００２２
【補正方法】変更
【補正の内容】
【００２２】
「分割表示撮影」モードでイメージセンサー７ａ或はイメージセンサー７ｂの受光画像の中の内、縦撮り横画像２３の領域の受光画像を横に、複数に分割してディスプレイ６に上下に分割して表示（図８）すると 中央表示部１０４に中央画像１００ を表示、或は 上表示部１０３に中央画像１００ をディスプレイ６に表示（図７）し、図３の縦撮り横画像２３の領域の受光画像をメモリー２６に記録するので「再生」すると図１０の通り横に広い画像が撮影できる、或は
【手続補正１２】
【補正対象書類名】明細書
【補正対象項目名】００２３
【補正方法】変更
【補正の内容】
【００２３】
「無分割表示撮影」モードで図３のイメージセンサー７ｂの縦撮り横画像２３の領域の受光画像を撮影対象画像としてディスプレイ６の予め設定された一部の領域に表示する（図９参照）事で「縦撮影」であっても「横撮影」と同じ横長の画像である縦撮り横画像２３の領域の受光画像をディスプレイ６に表示し、確認してシャッターを切る事で縦撮り横画像２３の領域の受光画像をメモリー２６に記録する、或はイメージセンサー７ｂの全ての画像、或は縦画像領域２０×縦画像領域２０の領域をメモリー２６に記録する、これにより
【手続補正１３】
【補正対象書類名】明細書
【補正対象項目名】００２６
【補正方法】変更
【補正の内容】
【００２６】
頭上にかかげて「縦撮影」する場合等、携帯情報端末１が横に倒れ傾きがあった場合ディスプレイ６の領域内には傾いた画像を表示し傾いた画像がメモリー２６に記録されていたが、本発明では「分割表示撮影」モード或は「無分割表示撮影」モードで撮影され傾き補正機能を作動させていた場合、許容範囲として設定されている傾き角度以内であれば、イメージセンサー７ａ或はイメージセンサー７ｂから入力した受光画像を画像処理エンジン２５において携帯情報端末１が傾斜線１２ｂ方向にα°傾いた場合、携帯情報端末１のコンピュータは逆方向にα°、回転させた縦撮り横画像領域２３ｂの縦撮り横画像２３を撮影対象画像領域と認知し長辺３に平行な縦撮り横画像２３、或は短辺４に平行な縦撮り縦画像２２をディスプレイ６に表示しメモリー２６に記録できた。
【手続補正１４】
【補正対象書類名】明細書
【補正対象項目名】００３２
【補正方法】変更
【補正の内容】
【００３２】
＜実施例１・請求項１＞
図３を元に説明すると、本発明は、イメージセンサー７ｂの縦受光域Ｈの長さを、ディスプレイ６の長辺３と同等或は同等以上の長さとし、縦受光域Ｈと横受光域Ｗの比率を略１対１の略同等とし縦受光域Ｈ×横受光域Ｗの領域の画像を受光できる面積の四角形、或は多角形、又は円形の形体の、イメージセンサー７ｂから入力した電気信号を画像処理エンジン２５は画像ファイルとしてコンピュータ処理し  携帯情報端末１が「分割表示撮影」モード或は「無分割表示撮影」モードにセットされて「縦撮影」されている場合、携帯情報端末１のディスプレイ６を仮に略９０°回転させた場合の仮想のディスプレイ６の領域となるイメージセンサー７ｂから入力した、画像処理エンジン２５の受光画像の縦画像領域２１に略直交した縦撮影した横画像である、縦撮り横画像２３の領域の受光画像をコンピュータは撮影対象画像と認知し認知した領域を分割して抜粋し、撮影対象画像としてディスプレイ６に表示しメモリー２６に記録する
【手続補正１５】
【補正対象書類名】明細書
【補正対象項目名】００３３
【補正方法】変更
【補正の内容】
【００３３】
＜実施例２・請求項２＞
図４を元に説明すると、携帯情報端末１を縦にして「分割表示撮影」モードを、使用して撮影する場合、画像処理エンジン２５の受光画像の縦画像領域２１に略直交した縦撮影した横画像である、縦撮り横画像２３の領域の受光画像をコンピュータは撮影対象画像と認知し認知した領域を分割して抜粋した、縦撮り横画像２３の領域の受光画像を横に複数に分割して、ディスプレイ６に上下に分割して表示（図７・図８）し、シャッターを切る事で縦撮り横画像２３の領域の画像を撮影対象画像として認知しメモリー２６に記録する、或は画像処理エンジン２５の全ての領域の画像をメモリー２６に記録する、
【手続補正１６】
【補正対象書類名】明細書
【補正対象項目名】００３６
【補正方法】変更
【補正の内容】
【００３６】
＜実施例４・請求項４＞
図３を元に説明すると、
ディスプレイ６をスクロールしてディスプレイの領域外の画像であつた外領域上８、外領域下９、外領域左１０、外領域右１１、を、表示するためにメモリー２６へのイメージセンサー７ｂ、或はイメージセンサー７ａからの入力した画像処理エンジン２５の受光画像の全て、或は画像処理エンジン２５の縦画像領域２０×縦画像領域２０の領域の画像領域をメモリーに記録する。
【手続補正１７】
【補正対象書類名】明細書
【補正対象項目名】００３９
【補正方法】変更
【補正の内容】
【００３９】
＜実施例６・請求項６＞
広角レンズカメラ未使用の図である図１を元に説明すると、「分割表示撮影」モード、「無分割表示撮影」モード撮影の場合従来の長方形のイメージセンサー７ａに焦点距離を短くする広角レンズを備えたカメラで縦受光域Ｈ、或は縦画像領域２０の巾の画像である横受光域Ｗの画像がイメージセンサー７ａの横受光域ＷＯ内に収まる様に焦点距離を設定した広角カメラで写る範囲を広くし「縦撮影」している携帯情報端末１のディスプレイ６を略９０°回転させた場合略直交するディスプレイ６の領域の、イメージセンサー７ａから入力した画像処理エンジン２５の受光画像から分割抜粋した縦撮り横画像２３の領域の、受光画像を撮影対象画像として携帯情報端末１は認知しディスプレイ６に表示し、メモリー２６に記録する  
【手続補正１８】
【補正対象書類名】明細書
【補正対象項目名】００４０
【補正方法】変更
【補正の内容】
【００４０】
＜実施例７・請求項７＞
図１１を元に説明すると、携帯情報端末１を縦にして撮影し、例えば携帯情報端末１が右にα°傾いた場合、従来のスマホではディスプレイ６に表示する縦撮り横画像領域２３ｂの縦撮り横画像２３の画像は  長辺３に平行ではないため縦撮り横画像領域２３ｂ内にあって左の距離Ｋと、右の距離Ｋ‘は同じではなく傾いて表示されメモリー２６に記録されるが、
【手続補正１９】
【補正対象書類名】明細書
【補正対象項目名】００４１
【補正方法】変更
【補正の内容】
【００４１】
本発明では、図１２を元に説明すると携帯情報端末１が左右方向の何れかに傾いた場合、仮にその方向が傾斜線１２ｂ方向に角度がα°傾れた場合、携帯情報端末１のコンピュータは画像処理エンジン２５において倒れた方向の逆方向にα°回転させた領域の縦撮り横画像領域２３ｂの縦撮り横画像２３を画像処理エンジン２５の受光画像から分割抜粋し、ディスプレイ６に表示しシャッターを切ると角度を補正した縦撮り横画像２３の画像をメモリー２６に記録する、縦撮り縦画像２２の場合は画像処理エンジン２５において携帯情報端末１が倒れた方向と逆方向にα°回転させた領域の縦撮り縦画像２２を画像処理エンジン２５の受光画像から分割抜粋し、ディスプレイ６に表示しシャッターを切ると角度を補正した縦撮り横画像２３の画像をメモリー２６に記録する、角度の補正は、一定時間内に一定の角度以上変化したら角度の補正をおこなう、或は一定のコマ数毎に角度の補正をおこなう。

【手続補正２０】
【補正対象書類名】明細書
【補正対象項目名】００４３
【補正方法】変更
【補正の内容】
【００４３】
１  携帯情報端末
２  コマライン
３  長辺
４  短辺
５  カメラ
６  ディスプレイ
７  イメージセンサー領域
７ａ  イメージセンサー（長方形）
７ｂ  イメージセンサー（四角形等）
８    外領域上
９    外領域下  
１０  外領域左    
１１  外領域右  
１２  鉛直線
１２ｂ傾斜線
１３  水平線
２０  縦画像領域
２１  横画像領域
２２  縦撮り縦画像
２３  縦撮り横画像
２３ｂ  縦撮り横画像領域
２４  横取り横画像
２５  画像処理エンジン
２６  メモリー
２７  レンズ
２８  入射光
２９  中心線
１００  中央画像
１０１  左画像
１０２  右画像
１０３  上表示部
１０４  中央表示部
１０５  下表示部
Ｗ０    横受光域（長方形の）
Ｗ      横受光域（四角形の）
Ｈ      縦受光域
Ｋ  距離
Ｋ‘  距離
α  倒れ角度
【手続補正書】
【提出日】令和1年8月7日(2019.8.7)
【手続補正１】
【補正対象書類名】図面
【補正対象項目名】図１
【補正方法】変更
【補正の内容】
【図１】
2020078039.tif 000016
【手続補正２】
【補正対象書類名】図面
【補正対象項目名】図３
【補正方法】変更
【補正の内容】
【図３】
2020078039.tif 000017
【手続補正３】
【補正対象書類名】図面
【補正対象項目名】図４
【補正方法】変更
【補正の内容】
【図４】
2020078039.tif 000018
【手続補正４】
【補正対象書類名】図面
【補正対象項目名】図９
【補正方法】変更
【補正の内容】
【図９】
2020078039.tif 000019
【手続補正５】
【補正対象書類名】図面
【補正対象項目名】図１１
【補正方法】変更
【補正の内容】
【図１１】
2020078039.tif 000020
【手続補正６】
【補正対象書類名】図面
【補正対象項目名】図１２
【補正方法】変更
【補正の内容】
【図１２】
2020078039.tif 000021
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
イメージセンサーからの画像処理エンジン２５の受光画像の縦画像領域２１に略直交する縦撮り横画像２３の受光画像を撮影対象画像として認知し、ディスプレイに表示し、メモリーに記録する事を特徴とする、携帯情報端末１。
【請求項２】
前記縦撮り横画像２３の領域の受光画像を横方向に複数に分割しディスプレイの上下に分割して表示する事を特徴とする請求項１に記載の携帯情報端末１。
【請求項３】
前記縦撮り横画像２３の領域の受光画像をディスプレイの横画像領域２１の一部の領域に表示する事を特徴とする請求項１〜２の何れか１項に記載の携帯情報端末１。
【請求項４】
前記画像処理エンジン２５の全受光画像、或は縦画像領域２０×縦画像領域２０の画像領域をメモリーに記録し、ディスプレイの領域外の画像であつた外領域上８、外領域下９、外領域左１０、外領域右１１を、ディスプレイをスクロールすると表示することを特徴とする、請求項１〜３の何れか１項に記載の携帯情報端末１。
【請求項５】
前記縦撮り横画像２３の領域の受光画像を横に複数に分割しディスプレイの上下に分割して表示する場合、上下の分割を表すコマラインを表示する事を特徴とする請求項１〜４の何れか１項に記載の携帯情報端末１。
【請求項６】
長方形のイメージセンサー７ａの横受光域ＷＯに広角レンズのカメラで受光画像の範囲を広くして横受光域Ｗの画像領域を受光し、前記画像処理エンジン２５の受光画像の縦画像領域２１に略直交する前記縦撮り横画像２３をディスプレイに表示し、メモリーに記録する事を特徴とする、請求項１〜５の何れか１項に記載の携帯情報端末１。
【請求項７】
前記携帯情報端末１が左右どちらかにα°傾いた場合、前記画像処理エンジン２５の受光画像
において携帯情報端末１が傾いた方向と逆方向に、α°回転させて補正した、縦撮り横画像領域２３ｂの前記縦撮り横画像２３をディスプレイに表示し、メモリーに記録する事を特徴とする請求項１〜６の何れか１項に記載の携帯情報端末１。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
イメージセンサーからの画像処理エンジン２５の受光画像の縦画像領域２１に略直交する
縦撮り横画像領域２３ｂの縦撮り横画像２３の受光画像を撮影対象画像として認知し、ディスプレイに表示し、メモリーに記録する事を特徴とする、携帯情報端末。
【請求項２】
前記縦撮り横画像領域２３ｂの縦撮り横画像２３の受光画像を横方向に複数に分割しディスプレイの上下に分割して表示する事を特徴とする請求項１に記載の携帯情報端末。
【請求項３】
前記縦撮り横画像領域２３ｂの縦撮り横画像２３の受光画像を縦になったディスプレイの横画像領域２１の一部の領域に表示する事を特徴とする請求項１〜２の何れか１項に記載の携帯情報端末。
【請求項４】
前記画像処理エンジン２５の縦撮り横画像領域２３ｂの全受光画像、或は縦画像領域２０×縦画像領域２０の画像領域をメモリーに記録し、ディスプレイの領域外の画像であつた外領域上８、外領域下９、外領域左１０、外領域右１１を、ディスプレイをスクロールすると表示することを特徴とする、請求項１〜３の何れか１項に記載の携帯情報端末。
【請求項５】
前記縦撮り横画像領域２３ｂの縦撮り横画像２３の受光画像を横に複数に分割しディスプレイの上下に分割して表示する場合、上下の分割を表すコマラインを表示する事を特徴とする請求項１〜４の何れか１項に記載の携帯情報端末。
【請求項６】
長方形のイメージセンサー７ａの横受光域ＷＯに広角レンズのカメラで受光画像の範囲を広くして横受光域Ｗの画像領域を受光し、前記画像処理エンジン２５の受光画像の縦画像領域２１に略直交する前記縦撮り横画像２３をディスプレイに表示し、メモリーに記録する事を特徴とする、請求項１〜５の何れか１項に記載の携帯情報端末。
【請求項７】
前記携帯情報端末１が左右どちらかにα°傾いた場合、前記画像処理エンジン２５の受光画像において携帯情報端末１が傾いた方向と逆方向に、α°回転させて補正した、縦撮り横画像領域２３ｂの前記縦撮り横画像２３をディスプレイに表示し、メモリーに記録する事を特徴とする請求項１〜６の何れか１項に記載の携帯情報端末。
【手続補正書】
【提出日】令和2年1月30日(2020.1.30)
【手続補正１】
【補正対象書類名】特許請求の範囲
【補正対象項目名】請求項４
【補正方法】変更
【補正の内容】
【請求項４】
前記画像処理エンジン２５の  全受光画像、或は縦画像領域２０×縦画像領域２０の画像
域をメモリーに記録し、ディスプレイの領域外の画像であつた外領域上８、外領域下９、
外領域左１０、外領域右１１を、ディスプレイをスクロールすると表示することを特徴と
する、請求項１〜３の何れか１項に記載の携帯情報端末１。